(57)【特許請求の範囲】
【請求項１】
光の出射領域を含む主面と、複数の端面とを有する導光板と、
前記導光板の第１の端面側に配置され、当該第１の端面から光を入光する光源と、
前記導光板の前記主面上に積層されて配置され、前記主面上の前記第１の端面とは異なる端面側の縁部に設けられた固定領域に両面テープを用いて固定された複数の光学シートと
を備え、
前記両面テープは、帯状の基材と、当該基材の両面に形成された粘着層とを有しており、少なくとも前記基材及び前記導光板側の粘着層が、前記光を反射する色となるように形成されていて、
前記導光板は、前記主面上の前記固定領域が設けられた前記縁部が、当該導光板の厚さ方向に段差を有する階段状に形成されており、
前記複数の光学シートは、各光学シートの一部が、前記導光板の階段状に形成された前記縁部の各段に個別に前記両面テープを用いて固定される、
面状照明装置。
【請求項２】
前記光学シートは、前記複数の端面のうちの一つの端面側に設けられた固定領域のみに固定される、
請求項１に記載の面状照明装置。
【請求項３】
前記第１の端面とは異なる端面は、前記第１の端面と略直交する端面である、
請求項１又は２に記載の面状照明装置。
【請求項４】
前記基材及び前記導光板側の粘着層は、白色となるように形成されている、
請求項１〜３のいずれか一つに記載の面状照明装置。
【請求項５】
前記基材及び前記導光板側の粘着層は、前記光源が発する光の色と同じ色となるように形成されている、
請求項１〜４のいずれか一つに記載の面状照明装置。
【請求項６】
光の出射領域を含む主面と、複数の端面とを有する導光板と、
前記導光板の第１の端面側に配置され、当該第１の端面から光を入光する光源と、
前記導光板の前記主面上に積層されて配置され、前記主面上の前記第１の端面とは異なる一つの端面側の縁部に設けられた固定領域のみに両面テープを用いて固定された複数の光学シートと
を備え、
前記導光板は、前記主面上の前記固定領域が設けられた前記縁部が、当該導光板の厚さ方向に段差を有する階段状に形成されており、
前記複数の光学シートは、各光学シートの一部が、前記導光板の階段状に形成された前記縁部の各段に個別に前記両面テープを用いて固定される、
面状照明装置。
【請求項７】
前記両面テープの帯状の基材は、白色となるように形成されている、
請求項６に記載の面状照明装置。
【発明の詳細な説明】
【技術分野】
【０００１】
本発明は、面状照明装置に関する。
【背景技術】
【０００２】
従来、液晶表示パネル等の照明手段として用いられる面状照明装置には、導光板の表面に拡散シート等の光学シートを配置したものがある。このような面状照明装置では、例えば、光学シートは、両面テープを用いて導光板の縁部に固定される。ここで、光学シートを固定するための両面テープとしては、透明な粘着剤を使用したものが用いられることが多い。
【先行技術文献】
【特許文献】
【０００３】
【特許文献１】特開平９−２０３８１１号公報
【発明の概要】
【発明が解決しようとする課題】
【０００４】
しかしながら、光学シートを固定するために透明な粘着剤を使用した両面テープが用いられた場合には、両面テープの粘着剤へ光が透過することによって導光板の縁部で光の損失が生じ、その結果、面状照明装置における輝度の均一性が低下することがあり得る。
【０００５】
本発明は、上記に鑑みてなされたものであって、輝度の均一性に優れた面状照明装置を提供することを目的とする。
【課題を解決するための手段】
【０００６】
上述した課題を解決し、目的を達成するために、本発明の一態様に係る面状照明装置は、導光板と、光源と、複数の光学シートとを備える。導光板は、光の出射領域を含む主面と、複数の端面とを有する。光源は、前記導光板の第１の端面側に配置され、当該第１の端面から光を入光する。複数の光学シートは、前記導光板の前記主面上に積層されて配置され、前記主面上の前記第１の端面とは異なる端面側の縁部に設けられた固定領域に両面テープを用いて固定されている。そして、前記両面テープは、帯状の基材と、当該基材の両面に形成された粘着層とを有しており、少なくとも前記基材及び前記導光板側の粘着層が、前記光を反射する色となるように形成されている。また、前記導光板は、前記主面上の前記固定領域が設けられた前記縁部が、当該導光板の厚さ方向に段差を有する階段状に形成されている。前記複数の光学シートは、各光学シートの一部が、前記導光板の階段状に形成された前記縁部の各段に個別に前記両面テープを用いて固定される。
また、本発明の一態様に係る面状照明装置は、光の出射領域を含む主面と、複数の端面とを有する導光板と、前記導光板の第１の端面側に配置され、当該第１の端面から光を入光する光源と、前記導光板の前記主面上に積層されて配置され、前記主面上の前記第１の端面とは異なる一つの端面側の縁部に設けられた固定領域のみに両面テープを用いて固定された複数の光学シートとを備え、前記導光板は、前記主面上の前記固定領域が設けられた前記縁部が、当該導光板の厚さ方向に段差を有する階段状に形成されており、前記複数の光学シートは、各光学シートの一部が、前記導光板の階段状に形成された前記縁部の各段に個別に前記両面テープを用いて固定される。
【発明の効果】
【０００７】
本発明の一態様によれば、輝度の均一性に優れた面状照明装置を提供することができる。
【図面の簡単な説明】
【０００８】
【図１】図１は、第１の実施形態に係る面状照明装置の平面図である。
【図２】図２は、図１に示すＡ−Ａ線における断面図である。
【図３】図３は、図１に示すＢ−Ｂ線における断面図である。
【図４】図４は、第１の実施形態に係る両面テープの断面図である。
【図５】図５は、第２の実施形態に係る面状照明装置の平面図である。
【図６】図６は、図５に示すＣ−Ｃ線における断面図である。
【図７】図７は、図５に示すＤ−Ｄ線における断面図である。
【図８】図８は、第２の実施形態に係る導光板、第１の光学シート、第２の光学シート及び第３の光学シートの固定部分を示す斜視図である。
【図９】図９は、第１及び第２の実施形態による効果を示す図である。
【発明を実施するための形態】
【０００９】
以下、図面を参照して、本願に係る面状照明装置の実施形態について説明する。なお、各図面において、同一の役割を果たす構成要素には同一の符号が付されている。
【００１０】
（第１の実施形態）
図１は、第１の実施形態に係る面状照明装置の平面図である。また、図２は、図１に示すＡ−Ａ線における断面図であり、図３は、図１に示すＢ−Ｂ線における断面図である。
【００１１】
例えば、図１〜３に示すように、第１の実施形態に係る面状照明装置１０は、導光板１１と、光源１２と、光学シート１３と、反射シート１４と、フレーム１５とを備える。
【００１２】
導光板１１は、光の出射領域を含む主面と、複数の端面とを有する。例えば、導光板１１は、平面視で略矩形状に形成された板状の部材であり、光の出射領域１１ａを含む第１の主面１１ｂと、第１の主面１１ｂと対向する第２の主面１１ｃとを有する。また、導光板１１は、光が入光される第１の端面１１ｄと、第１の端面１１ｄと対向する第２の端面１１ｅと、第１の端面１１ｄと略直交し、かつ、互いに対向する第３の端面１１ｆ及び第４の端面１１ｇを有する。そして、導光板１１は、光源１２から発生する光に対して透光性を有する材料で形成されており、第１の端面１１ｄから入光された光を第１の主面１１ｂの出射領域１１ａから出射するように構成されている。
【００１３】
光源１２は、導光板１１の第１の端面１１ｄ側に配置され、当該第１の端面１１ｄから光を入光する。例えば、光源１２は、複数のＬＥＤ（light  emitting  diode）１２ａを有しており、各ＬＥＤ１２ａが導光板１１の第１の端面１１ｄに沿って並べて配置される。より具体的には、例えば、ＬＥＤ１２ａは、白色の光を発する白色ＬＥＤである。
【００１４】
光学シート１３は、導光板１１の出射領域１１ａを含む第１の主面１１ｂ上に配置される。例えば、光学シート１３は、樹脂等で形成された薄板状の部材であり、導光板１１の出射領域１１ａを覆うように、第１の主面１１ｂ上に配置される。ここで、例えば、光学シート１３は、導光板１１の出射領域１１ａから出射される光を拡散しながら透過させる拡散シートである。
【００１５】
反射シート１４は、導光板１１の第２の主面１１ｃ上に配置され、光源１２によって導光板１１内に入光された光を導光板１１内へ反射する。
【００１６】
フレーム１５は、略矩形状に形成された枠状の部材であり、内側に導光板１１、光源１２及び光学シート１３を収容して支持する。また、フレーム１５は、導光板１１の第２の主面１１ｃが配置される側に反射シート１４が取り付けられる。なお、フレーム１５は、例えば、有底の枠状部材であってもよい。
【００１７】
このような構成のもと、本実施形態では、光学シート１３が、導光板１１の第１の主面１１ｂ上の縁部に設けられた固定領域１１ｈに両面テープ１６を用いて固定されている。ここで、光学シート１３が固定される固定領域１１ｈは、第１の主面１１ｂ上の光が入光される第１の端面１１ｄとは異なる端面側の縁部に設けられる。
【００１８】
例えば、図１〜３に示すように、光学シート１３は、第１の端面１１ｄと略直交する端面である第４の端面１１ｇ側の縁部に設けられた固定領域１１ｈに両面テープ１６を用いて固定されている。なお、光学シート１３は、導光板１１が有する複数の端面のうちの一つの端面である第４の端面１１ｇ側に設けられた固定領域１１ｈのみに固定されている。なお、本実施形態では、固定領域１１ｈが形成される第４の端面１１ｇの長さの方が、第１の端面１１ｄの長さよりも短い。
【００１９】
そして、本実施形態では、両面テープ１６は、帯状の基材と、当該基材の両面に形成された粘着層とを有しており、少なくとも基材及び導光板側の粘着層が、光を反射する色となるように形成されている。例えば、基材及び導光板側の粘着層の色は、白色となるように形成されている。
【００２０】
図４は、第１の実施形態に係る両面テープ１６の断面図である。なお、図４は、両面テープ１６における幅方向に沿った断面を示している。例えば、図４に示すように、両面テープ１６は、基材１６ａと、導光板１１側に配置される粘着層１６ｂと、光学シート１３側に配置される粘着層１６ｃとを有する。そして、本実施形態では、基材１６ａ及び２つの粘着層１６ｂ及び１６ｃが、それぞれ白色となるように形成されている。例えば、基材１６ａは、ＰＥＴ（polyethylene  terephthalate）の樹脂に白色の塗料を混ぜ込むことによって形成される。また、２つの粘着層１６ｂ及び１６ｃは、透明な粘着剤に白色の塗料を混ぜ込むことによって形成される。
【００２１】
ここで、仮に、上述した両面テープ１６として、透明な粘着剤を使用した両面テープが用いられた場合には、両面テープの粘着剤へ光が透過することによって導光板の縁部で光の損失が生じ、その結果、面状照明装置における輝度の均一性が低下することがあり得る。具体的には、導光板１１において、両面テープ１６が取り付けられる固定領域１１ｈからの光の損失が増加し、その結果、出射領域１１ａにおける輝度の均一性（輝度の対称性）が低下することがあり得る。
【００２２】
これに対し、本実施形態では、少なくとも両面テープ１６の基材１６ａ及び導光板１１側の粘着層１６ｂの色が、光を反射する色となるように形成されている。そのため、光源１２によって導光板１１内に入光されて両面テープ１６に達した光を、導光板１１内へ反射させることができる。これにより、両面テープ１６が取り付けられる固定領域１１ｈからの光の損失を抑えることが可能になり、出射領域１１ａにおける輝度の均一性を高めることができる。
【００２３】
したがって、本実施形態によれば、輝度の均一性に優れた面状照明装置１０を提供することができる。
【００２４】
また、例えば、光学シート１３を導光板１１における両側に固定した場合には、光学シート１３の両端の位置が固定されるため、温度等の環境変化に伴って光学シート１３が膨張した際に、光学シート１３に皺が生じることがあり得る。
【００２５】
これに対し、本実施形態では、光学シート１３が、複数の端面のうちの第４の端面１１ｇ側に設けられた固定領域１１ｈのみに固定されている。そのため、光学シート１３の片側のみが固定されることになり、温度等の環境変化に伴って光学シート１３が膨張した場合でも、光学シート１３に皺が生じるのを抑制することができる。これにより、面状照明装置１０の信頼性を高めることができる。すなわち、面状照明装置１０の輝度の均一性（輝度の対称性）を低下させることなく、信頼性を高めることができる。
【００２６】
なお、本実施形態では、基材１６ａ、導光板１１側に配置される粘着層１６ｂ、及び光学シート１３側に配置される粘着層１６ｃがそれぞれ白色となるように形成されている場合の例について説明したが、実施形態はこれに限られない。例えば、基材１６ａ及び各粘着層は、光を反射する色であれば、白色以外の色であってもよい。例えば、基材１６ａ及び各粘着層の色は、黒色や灰色、紺色等であってもよい。
【００２７】
また、例えば、基材１６ａ及び各粘着層は、光源１２が発する光の色と同じ色となるように形成されていてもよい。例えば、本実施例のように、光源１２が白色の光を発するものである場合には、基材１６ａ及び各粘着層は、白色となるように形成される。また、例えば、光源１２が赤色の光を発するものである場合には、基材１６ａ及び各粘着層は、赤色となるように形成される。
【００２８】
また、本実施形態では、導光板１１側に配置される粘着層１６ｂ及び光学シート１３側に配置される粘着層１６ｃの両方が白色である場合の例について説明したが、光学シート１３側に配置される粘着層１６ｃについては、白色以外の色であってもよい。例えば、光学シート１３側に配置される粘着層１６ｃは、透明であってもよいし、黒色や灰色、紺色等であってもよい。
【００２９】
（第２の実施形態）
また、上述した第１の実施形態では、面状照明装置１０が１つの光学シート１３を備える場合の例を説明したが、実施形態はこれに限られない。例えば、面状照明装置は、複数の光学シートを備えていてもよい。以下では、面状照明装置が複数の光学シートを備える場合の例を第２の実施形態として説明する。
【００３０】
なお、第２の実施形態に係る面状照明装置は、導光板、光学シート及び両面テープを除いて、図１〜３に示した面状照明装置１０と同様の構成を備える。そこで、以下では、第２の実施形態に係る面状照明装置について、導光板、光学シート及び両面テープの構成を中心に説明し、図１〜３に示した面状照明装置１０と共通する構成要素については詳細な説明を省略する。
【００３１】
図５は、第２の実施形態に係る面状照明装置の平面図である。また、図６は、図５に示すＣ−Ｃ線における断面図であり、図７は、図５に示すＤ−Ｄ線における断面図である。
【００３２】
例えば、図５〜６に示すように、第２の実施形態に係る面状照明装置は、導光板２１と、複数の光学シートとを備える。具体的には、本実施形態に係る面状照明装置は、第１の光学シート２３ａと、第２の光学シート２３ｂと、第３の光学シート２３ｃとを備える。なお、図５〜６では図示を省略しているが、本実施形態に係る面状照明装置は、図１に示した光源１２、反射シート１４及びフレーム１５も備えている。
【００３３】
導光板２１は、光の出射領域を含む主面と、複数の端面とを有する。例えば、導光板２１は、平面視で略矩形状に形成された板状の部材であり、光の出射領域２１ａを含む第１の主面２１ｂと、第１の主面２１ｂと対向する第２の主面２１ｃとを有する。また、導光板２１は、光が入光される第１の端面２１ｄと、第１の端面２１ｄと対向する第２の端面２１ｅと、第１の端面２１ｄと略直交し、かつ、互いに対向する第３の端面２１ｆ及び第４の端面２１ｇを有する。そして、導光板２１は、光源１２から発生する光に対して透光性を有する材料で形成されており、第１の端面２１ｄから入光された光を第１の主面２１ｂの出射領域２１ａから出射するように構成されている。
【００３４】
第１の光学シート２３ａ、第２の光学シート２３ｂ及び第３の光学シート２３ｃは、導光板２１の第１の主面２１ｂ上に積層されて配置される。各光学シートは、樹脂等で形成された薄板状の部材であり、導光板２１の出射領域２１ａを覆うように、第１の主面２１ｂ上に積層されて配置される。
【００３５】
具体的には、第１の光学シート２３ａは、導光板２１の第１の主面２１ｂ上に配置され、第２の光学シート２３ｂは、第１の光学シート２３ａ上に配置され、第３の光学シート２３ｃは、第２の光学シート２３ｂ上に配置される。ここで、例えば、第１の光学シート２３ａは、導光板２１の出射領域２１ａから出射される光を拡散しながら透過させる拡散シートである。また、例えば、第２の光学シート２３ｂ及び第３の光学シート２３ｃは、線状に形成された複数のプリズムが並列に配置されたプリズムシートである。
【００３６】
このような構成のもと、本実施形態では、第１の光学シート２３ａ、第２の光学シート２３ｂ及び第３の光学シート２３ｃが、導光板２１の第１の主面２１ｂ上の縁部に設けられた固定領域２１ｈに両面テープ２６を用いて固定されている。ここで、各光学シートが固定される固定領域２１ｈは、第１の主面２１ｂ上の光が入光される第１の端面２１ｄとは異なる端面側の縁部に設けられる。
【００３７】
例えば、図５〜６に示すように、第１の光学シート２３ａ、第２の光学シート２３ｂ及び第３の光学シート２３ｃは、第１の端面２１ｄと略直交する端面である第４の端面２１ｇ側の縁部に設けられた固定領域２１ｈに両面テープ２６を用いて固定されている。なお、各光学シートは、導光板２１が有する複数の端面のうちの一つの端面である第４の端面２１ｇ側に設けられた固定領域２１ｈのみに固定されている。
【００３８】
ここで、本実施形態では、導光板２１は、第１の主面２１ｂ上の固定領域２１ｈが設けられた縁部が、当該導光板２１の厚さ方向に段差を有する階段状に形成されている。そして、第１の光学シート２３ａ、第２の光学シート２３ｂ及び第３の光学シート２３ｃは、各光学シートの一部が、導光板２１の階段状に形成された縁部の各段に個別に両面テープ２６を用いて固定されている。なお、導光板２１に設けられる階段状の縁部は、光学シートの数と同じ数の段数を有するように形成される。
【００３９】
図８は、第２の実施形態に係る導光板２１、第１の光学シート２３ａ、第２の光学シート２３ｂ及び第３の光学シート２３ｃの固定部分を示す斜視図である。例えば、図８に示すように、本実施形態では、導光板２１において、第１の主面２１ｂ上の固定領域２１ｈが設けられた第４の端面２１ｇ側の縁部が、導光板２１の厚さ方向に段差を有し、かつ、第１の段面２１ｉ、第２の段面２１ｊ及び第３の段面２１ｋの３つの段面を有する階段状に形成されている。
【００４０】
ここで、第１の段面２１ｉは、導光板２１の縁部における第１の端面２１ｄに近い側であり、かつ、第２の段面２１ｊより段差ｄ１だけ低い位置に設けられている。また、第３の段面２１ｋは、導光板２１の縁部における第２の端面２１ｅに近い側であり、かつ、第２の段面２１ｊより段差ｄ２だけ高い位置に設けられている。また、第２の段面２１ｊは、導光板２１の縁部における第１の段面２１ｉと第３の段面２１ｋとの間に位置し、かつ、導光板２１の第１の主面２１ｂと同一平面上に設けられている。
【００４１】
一方、第１の光学シート２３ａの端部は、導光板２１における第１の段面２１ｉと対向する部分が突出し、第２の段面２１ｊ及び第３の段面２１ｋと対向する部分が切り欠かれた形状となるように形成されている。また、第２の光学シート２３ｂの端部は、導光板２１における第１の段面２１ｉ及び第２の段面２１ｊと対向する部分が突出し、第３の段面２１ｋと対向する部分が切り欠かれた形状となるように形成されている。
【００４２】
そして、第１の光学シート２３ａの端部の突出した部分が、導光板２１の第１の段面２１ｉに両面テープ２６を用いて固定されている。また、第２の光学シート２３ｂの端部の突出した部分が、第１の光学シート２３ａの端部の切り欠かれた部分を介して、導光板２１の第２の段面２１ｊに両面テープ２６を用いて固定されている。また、第３の光学シート２３ｃの端部が、第１の光学シート２３ａの端部及び第２の光学シート２３ｂの端部それぞれの切り欠かれた部分を介して、導光板２１の第３の段面２１ｋに両面テープ２６を用いて固定されている。
【００４３】
ここで、両面テープ２６は、導光板２１の階段状に形成された縁部の形状に合わせて折り曲げながら、導光板２１に取り付けられる。なお、第１の段面２１ｉと第２の段面２１ｊとの段差ｄ１は、両面テープ２６における粘着層の弾性を考慮して、両面テープ２６の厚さより低い高さとされる。また、第２の段面２１ｊと第３の段面２１ｋとの段差ｄ２は、第２の光学シート２３ｂの厚さと同じ高さとされる。
【００４４】
そして、本実施形態では、両面テープ２６が、図４に示した両面テープ１６と同様に、帯状の基材と、当該基材の両面に形成された粘着層とを有しており、少なくとも基材及び導光板側の粘着層が、光を反射する色となるように形成されている。例えば、基材及び導光板側の粘着層は、光源１２が発する色と同じ色となるように形成されている。より具体的には、例えば、基材及び導光板側の粘着層の色は、白色となるように形成されている。
【００４５】
そのため、第１の実施形態と同様に、光源１２によって導光板２１内に入光されて両面テープ２６に達した光を、導光板２１内へ反射させることができる。これにより、両面テープ２６が取り付けられる固定領域２１ｈからの光の損失を抑えることが可能になり、出射領域２１ａにおける輝度の均一性を高めることができる。
【００４６】
したがって、本実施形態によれば、第１の実施形態と同様に、輝度の均一性に優れた面状照明装置を提供することができる。
【００４７】
また、本実施形態では、第１の光学シート２３ａ、第２の光学シート２３ｂ及び第３の光学シート２３ｃが、複数の端面のうちの第４の端面２１ｇ側に設けられた固定領域２１ｈのみに固定される。したがって、本実施形態によれば、第１の実施形態と同様に、各光学シートの片側のみが固定されることになり、温度等の環境変化に伴って各光学シートが膨張した場合でも、各光学シートに皺が生じるのを抑制することができる。これにより、面状照明装置の信頼性を高めることができる。すなわち、面状照明装置の輝度の均一性（輝度の対称性）を低下させることなく、信頼性を高めることができる。
【００４８】
なお、本実施形態では、１つの両面テープ２６を用いて複数の光学シートを固定する場合の例について説明したが、実施形態はこれに限られない。例えば、各光学シートは、それぞれ別の両面テープを用いて固定されてもよい。
【００４９】
また、本実施形態では、面状照明装置に３つの光学シートが備えられる場合の例について説明したが、実施形態はこれに限られない。例えば、２つ又は４つ以上の光学シートが面状照明装置に備えられてもよい。いずれの場合でも、複数の光学シートが用いられる場合には、上述した例と同様に、導光板２１に設けられる階段状の縁部が、光学シートの数と同じ数の段数を有するように形成される。なお、このとき、導光板２１に最も近い位置に配置される光学シートが固定される段面は、導光板２１の第１の主面２１ｂより低い位置に設けられ、それ以外の光学シートが固定される段面は、導光板２１の第１の主面２１ｂの高さから段階的に高くなるように設けられる。
【００５０】
以上、第１及び第２の実施形態に係る面状照明装置ついて説明した。ここで、上述した実施形態によって得られる効果について、導光板における輝度の測定結果をもとに、より具体的に説明する。
【００５１】
図９は、第１及び第２の実施形態による効果を示す図である。なお、図９は、透明な粘着剤を使用した両面テープで光学シートを固定した場合、及び、白色の粘着剤を使用した両面テープで光学シートを固定した場合それぞれの輝度値の測定結果を示しており、第２の実施形態のように３つの光学シートが用いられた場合の例を一例として示している。なお、基材には、いずれも白色の部材を用いている。
【００５２】
具体的には、図９の（ａ）は、透明な粘着剤を使用した両面テープで光学シートを固定した場合の導光板の出射領域の様子を示しており、図９の（ｂ）は、白色の粘着剤を使用した両面テープで光学シートを固定した場合の導光板の出射領域の様子を示している。ここで、図９の（ａ）及び（ｂ）に示す９つの白丸は、それぞれ輝度の測定点を示している。また、各導光板における右側が、両面テープが配置される側となっている。
【００５３】
また、図９の（ｃ）は、図９の（ａ）に示す導光板の各測定点における輝度（ｃｄ／ｍｍ2）の測定結果を示しており、図９の（ｄ）は、図９の（ｂ）に示す導光板の各測定点における輝度（ｃｄ／ｍｍ2）の測定結果を示している。また、図９の（ｅ）は、図９の（ｃ）及び（ｄ）に示す測定結果のうちの両面テープに近い側の３つの測定点における測定結果を測定点ごとに比較した結果を示している。なお、図９の（ｃ）及び（ｄ）に示す「Ｃｎｔ」は、導光板の出射領域の中心に位置する測定点における輝度を示している。また、「Ａｖｇ」は、９つの測定点における輝度の平均値を示している。また、「Ｕｎｉｆ」は、輝度の均一度を示す値として、９つの測定点における輝度のうちの最小値を最大値で割った値を示している。
【００５４】
ここで、上述した実施形態で説明したように、白色の粘着剤を使用した両面テープで光学シートを固定した場合には、透明な粘着剤を使用した両面テープで光学シートを固定した場合と比べて、両面テープが取り付けられる固定領域からの光の損失が抑えられる。
【００５５】
この結果、例えば、図９の（ａ）及び（ｂ）に示すように、白色の粘着剤を使用した両面テープで光学シートを固定した場合には、透明な粘着剤を使用した両面テープで光学シートを固定した場合と比べて、導光板の出射領域において、両面テープが配置される側で暗くなる部分を減らすことができる。すなわち、導光板の出射領域における輝度の左右の対称性を向上させることができる。
【００５６】
また、例えば、図９の（ｃ）及び（ｄ）の「Ａｖｇ」に示すように、白色の粘着剤を使用した両面テープで光学シートを固定した場合には、透明な粘着剤を使用した両面テープで光学シートを固定した場合と比べて、９つの測定点における輝度の平均値が増加している。すなわち、上述した実施形態によれば、導光板の出射面全体の輝度を高めることができる。
【００５７】
また、例えば、図９の（ｃ）及び（ｄ）の「Ｕｎｆ」に示すように、白色の粘着剤を使用した両面テープで光学シートを固定した場合には、透明な粘着剤を使用した両面テープで光学シートを固定した場合と比べて、輝度の均一度が増加している。すなわち、上述した実施形態によれば、導光板の出射面における輝度の均一性を高めることができる。
【００５８】
このようなことから、上述した実施形態によれば、光を反射する色の両面テープを用いて導光板に光学シートを固定することによって、光学特性に優れた面状照明装置を提供することができる。
【００５９】
なお、上述した実施形態では、光学シートが、光が入光される第１の端面と略直交する端面である第４の端面側の縁部に固定されている場合の例について説明したが、実施形態はこれに限られない。例えば、光学シートは、第４の端面と同様に第１の端面と略直交する面である第３の端面側の縁部に固定されていてもよいし、第１の端面と対向する第２の端面側の縁部に固定されていてもよい。
【００６０】
また、上述した実施形態では、光学シートが、導光板が有する複数の端面のうちの一つの端面側に設けられた固定領域のみに固定される場合の例について説明したが、実施形態はこれに限られない。例えば、面状照明装置が温度等の環境変化が少ない場所で用いられるものである場合のように、光学シートの大きさの変化が少ないような場合には、導光板の両端側に両面テープを用いて固定されていてもよい。
【００６１】
以上、本願に係る面状照明装置の実施形態について説明したが、上記実施形態によって本発明が限定されるものではない。上述した各構成要素を適宜に組み合わせて構成したものも本発明に含まれる。また、さらなる効果や変形例は、当業者によって容易に導き出すことができる。よって、本発明のより広範な態様は、上記実施形態に限定されるものではなく、様々な変更が可能である。
【符号の説明】
【００６２】
１０  面状照明装置
１１  導光板
１２  光源
１３  光学シート
１６  両面テープ
【図１】
0006453271.tif 000002
【図２】
0006453271.tif 000003
【図３】
0006453271.tif 000004
【図４】
0006453271.tif 000005
【図５】
0006453271.tif 000006
【図６】
0006453271.tif 000007
【図７】
0006453271.tif 000008
【図８】
0006453271.tif 000009
【図９】
0006453271.tif 000010